(57)【特許請求の範囲】
【請求項１】
略方形状に形成されたシート本体の長手方向における側辺部に折り返し部を備え、シート本体の短手方向における側辺部に、シート本体を所定の場所に取り付け可能な固定手段を備えていることを特徴とするペット用シート。
【請求項２】
シート本体の折り返し部は、シート本体の端縁部を内側に向けて折り返す１回目の谷折部・外側に向けて折り返す２回目の山折部を備えるように、シート本体の端縁部が２回折り返されている請求項１に記載のペット用シート。
【請求項３】
シート本体の折り返し部は、少なくとも左右のいずれかの端部が縫合されている請求項１または２に記載のペット用シート。
【請求項４】
シート本体の折り返し部は、左右の両端部が縫合され、両縫合部分に挟まれている折り返し部の中央部分は縫合されていない請求項１乃至３のいずれかに記載のペット用シート。
【請求項５】
シート本体の折り返し部における縫合されていない中央部分は、ペットの抜け毛・餌・排泄物を収容可能である請求項４に記載のペット用シート。
【請求項６】
シート本体の折り返し部における縫合されていない中央部分は、折り返し部全体の長さのおよそ２分の１から３分の１程度の長さを有する請求項４または５に記載のペット用シート。
【請求項７】
シート本体の折り返し部における縫合部分は、２回目の折り返しである山折部とシート本体が縫合されている請求項３または4に記載のペット用シート。
【請求項８】
シート本体は、撥水性・対候性・耐水性を有するポリエステルによる合成樹脂製のシート表面部と、耐水性・耐候性・耐熱性・耐電圧性を有するポリ塩化ビニルによる合成樹脂製材をコーティングしてあるシート裏面部とにより形成されている請求項１乃至７のいずれかに記載のペット用シート。
【請求項９】
シート本体は、固定手段を介して車両における前部座席の背もたれ部と、後部座席の背もたれ部との間に跨がって掛架可能である請求項１乃至８のいずれかに記載のペット用シート。
【請求項１０】
シート本体の固定手段は、車両における座席のヘッドレストまたは座席の背もたれ部の角部に掛止可能である請求項９に記載のペット用シート。
【請求項１１】
シート本体は、車両における座席間に掛架させた際、両側に立設面が形成され、中央部には水平面が形成されている請求項９または１０に記載のペット用シート。
【発明の詳細な説明】
【０００１】
【発明の属する技術分野】
本発明は、ペットの抜け毛・餌・排泄物等により、例えば、家屋や車両等における所定の空間が汚れることを確実に防ぐことのできるペット用シートに関するものである。
【０００２】
【従来の技術】
従来において、例えば、ペットを車両内に入れる場合には、ペットをそのまま車両内の座席等に座わらせたり、所定のケージにペットを入れ、このケージを車両内に運び込んでいた。
【０００３】
【発明が解決しようとする課題】
しかしながら、ペットをそのまま車両内の座席等に座わらせると、ペットの足等に付着している土やゴミ、ペットの抜け毛、排泄物等により車両内における空間が汚されてしまい、非常に不衛生である。また、ペットを所定のケージに入れ、このケージを車両内に運び込むときは、当然、ケージが車両内に持ち運び可能な大きさでなければならないため、大型犬等を運搬するような場合、大きなケージが車両内に入らない事態が生じていた。
【０００４】
そこで本発明は、叙上のような従来存した問題点に鑑み創出されたもので、ペットの抜け毛・餌・排泄物等により、例えば、家屋や車両等における所定の空間が汚れることを確実に防ぐと共に、大型のペットであっても座席等を汚すことなく車両内に運び込むことができるペット用シートを提供することを目的としたものである。
【０００５】
【課題を解決するための手段】
このため、本発明にあっては、略方形状に形成されたシート本体の長手方向における側辺部に折り返し部を備え、シート本体の短手方向における側辺部に、シート本体を所定の場所に取り付け可能な固定手段を備えていることで、上述した課題を解決した。
【０００７】
さらに、シート本体の折り返し部は、シート本体の端縁部を内側に向けて折り返す１回目の谷折部・外側に向けて折り返す２回目の山折部を備えるように、シート本体の端縁部が２回折り返されていることで、同じく上述した課題を解決した。
【０００８】
また、シート本体の折り返し部は、少なくとも左右のいずれかの端部が縫合されていることで、同じく上述した課題を解決した。
【０００９】
加えて、シート本体の折り返し部は、左右の両端部が縫合され、両縫合部分に挟まれている折り返し部の中央部分は縫合されていないことで、同じく上述した課題を解決した。
【００１０】
また、シート本体の折り返し部における縫合されていない中央部分は、ぺットの抜け毛・餌・排泄物等を収容可能であることで、同じく上述した課題を解決した。
【００１１】
この他、シート本体の折り返し部における縫合されていない中央部分は、折り返し部全体の長さのおよそ２分の１から３分の１程度の長さを有することで、同じく上述した課題を解決した。
【００１２】
また、シート本体の折り返し部における縫合部分は、２回目の折り返しである山折部とシート本体が縫合されていることで、同じく上述した課題を解決した。
【００１３】
さらに、シート本体は、撥水性・対候性・耐水性等を有するポリエステル等の合成樹脂製のシート表面部と、耐水性・耐候性・耐熱性・耐電圧性等を有するポリ塩化ビニル等の合成樹脂製材をコーティングしてあるシート裏面部とにより形成されていることで、同じく上述した課題を解決した。
【００１４】
また、シート本体は、固定手段を介して車両等における前部座席の背もたれ部と、後部座席の背もたれ部との間に跨がって掛架可能であることで、同じく上述した課題を解決した。
【００１５】
加えて、シート本体の固定手段は、車両等における座席のヘッドレストまたは座席の背もたれ部の角部に掛止可能であることで、同じく上述した課題を解決した。
【００１６】
また、シート本体は、車両等における座席間に掛架させた際、両側に立設面が形成され、中央部には水平面が形成されていることで、同じく上述した課題を解決した。
【００１７】
【発明の実施の形態】
以下、図面を参照して本発明の一実施の形態を説明する。本発明に係るペット用シートは、シート本体１に折り返し部２を備えると共に、シート本体１を所定の場所に取り付け可能な固定手段１１を備えている。
【００１８】
この折り返し部２は、図１・図２に示すように、略方形状に形成されたシート本体１の長手方向における側辺部に設けられている。また、固定手段１１は、シート本体１の短手方向における側辺部に設けられている。
【００１９】
シート本体１は、例えば、ポリエステル等の撥水性・耐候性・耐水性を有する合成樹脂製のシート表面部１Ａと、ポリ塩化ビニル（ＰＶＣ）等の耐水性・耐候性・耐熱性・耐電圧性を有する合成樹脂製材をコーティングしてあるシート裏面部１Ｂとにより形成されている。
【００２０】
シート本体１の折り返し部２は、図３（ａ）に示すように、シート本体１の端縁部を内側に向けて折り返す１回目の谷折部・外側に向けて折り返す２回目の山折部を備えるように、シート本体１の端縁部が２回折り返されて、断面略Ｚ形状となっている。そして、図２に示すように、シート本体１の折り返し部２は、左右の両端部が縫合されている。この折り返し部２における縫合部分は、図３（ｂ）に示すように、２回目の折り返しである山折部とシート本体１の底面部が縫合されているものである。また、図２に示すように、シート本体１における両縫合部分に挟まれている折り返し部２の中央部分は、縫合されていない開放状態となっている。そのため、シート本体１の折り返し部２における縫合されていない中央部分は、ぺットの抜け毛・餌・排泄物等を収容可能である。
【００２１】
このシート本体１の折り返し部２における縫合されていない中央部分は、折り返し部２全体の長さのおよそ２分の１程度の長さを有している。尚、折り返し部２における縫合されていない中央部分は、折り返し部２全体の長さのおよそ３分の１程度の長さを有するものであっても良い。
【００２２】
この様にして、シート本体１は、図２に示すように、長手方向における長さが、例えば最大１３５０ｍｍ、短手方向における長さが、最大１３００ｍｍに形成される。また、折り返し部２の左右両端部におけるそれぞれの縫合部分は、例えば３５０ｍｍに形成される。さらに、両縫合部分に挟まれている縫合されていない中央部分は、例えば６５０ｍｍに形成されている。また、折り返し部２の幅員は約１２０ｍｍに形成され、図３（ｃ）に示すように、断面略Ｚ形状となっている谷折部と山折部は、その幅員が約６０ｍｍに形成されている。
【００２３】
そして、シート本体１は、図１に示すように、固定手段１１を介して車両等における前部座席の背もたれ部Ａと、後部座席の背もたれ部Ｂとの間に跨がって掛架可能である。このシート本体１の固定手段１１は、車両等における座席のヘッドレストＨまたは座席の背もたれ部Ａ・Ｂの角部に掛止可能である。具体的には、固定手段１１は、図２に示すように、シート本体１の前端側を前部座席の背もたれ部Ａの上方に取り付けるために、長さ調節可能なループ状のベルト部材１２が、シート本体１の前側の補強縁部４に２個並設されている。このベルト部材１２は、図１に示すように、前部の座席の背もたれ部Ａ上方に着脱可能に配されているヘッドレストＨに掛止させる。一方、シート本体１の後端側にも、長さ調節可能なループ状のベルト部材１３が２個並設されている。このベルト部材１３は、図２に示すように、一端部がシート本体１の補強縁部４に固定され、他端部にナスカン等のフック部１４を備えている。このフック部１４は、シート本体１の短手方向における補強縁部４に設けたＤリング状の係止部１５に取り付け可能となっている。よって、図１に示すように、後部の座席の背もたれ部Ｂ上方に着脱可能に配されているヘッドレストＨに掛止できる。また、ベルト部材１３のフック部１４は、シート本体１の長手方向における補強縁部４に設けたＤリング状の係止部１６にも取り付け可能である。よって、図４に示すように、ベルト部材１３は、ヘッドレストＨの存在しない座席の背もたれ部Ｂの角部にも掛止できる。
【００２４】
この他、図５に示すように、シート本体１を構成するシート表面部１Ａとシート裏面部１Ｂとの間にスペースを設け、スポンジ・ウレタン樹脂等のクッション部材３を入れても良い。また、シート本体１の折り返し部２として、例えば、シート本体１の長手方向における両側辺部を内側に向けて略Ｕ字型に折曲させたり（図５（ａ）参照）、上方に向けて折曲させても良い（図５（ｂ）参照）。さらには、所定の高さを有する肉厚部のように形成しても良い（図５（ｃ）参照）。
【００２５】
そして、例えば、図１に示すように、シート本体１のベルト部材１２・１３のそれぞれを、前部座席の背もたれ部Ａと後部座席の背もたれ部Ｂに掛止させる。この様に、シート本体１を、車両等における座席間に掛架させた際、図１に示すように、シート本体１の両側には立設した面が形成され、シート本体１の中央部には水平面が形成される。この状態において、ペットはシート本体１の水平面上に乗せられる。このとき、図１の部分拡大図に示すように、折り返し部２の縫合されていない中央部分が若干開いて袋状となり、ペットの抜け毛・餌・排泄物等が収容される。
【００２６】
【発明の効果】
本発明は以上のように構成されており、室内や車両等における所定の空間に誰もが簡単に設置できるペット用シートを提供するものである。そして、特に、ペットの抜け毛・餌・排泄物等が付着したり散乱してしまうような事態の発生を確実に防止し、室内や車両等における所定の空間の清潔状態を維持するものである。
【図面の簡単な説明】
【図１】シート本体を座席間に掛架させた使用状態を示す一部拡大の斜視図である。
【図２】シート本体の平面図である。
【図３】シート本体の折り返し部の構成を示したもので、（ａ）は図２中のＡ−Ａ断面図、（ｂ）は図２中のＢ−Ｂ断面図である。
【図４】シート本体のベルト部材を座席の角部に掛止した状態の正面図である。
【図５】シート本体の折り返し部の形状を示したもので、（ａ）は略Ｕ字型に折曲した状態の断面図、（ｂ）は上方に向けて折曲した状態の断面図、（ｃ）は肉厚状態の断面図である。
【符号の説明】
Ａ…背もたれ部
Ｂ…背もたれ部
Ｈ…ヘッドレスト
１…シート本体
１Ａ…シート表面部
１Ｂ…シート裏面部
２…折り返し部
３…クッション部材
４…補強縁部
１１…固定手段
１２…ベルト部材
１３…ベルト部材
１４…フック部
１５…係止部
１６…係止部
【図１】
0003852691.tif 000002
【図２】
0003852691.tif 000003
【図３】
0003852691.tif 000004
【図４】
0003852691.tif 000005
【図５】
0003852691.tif 000006